(57)【要約】【課題】データ写しこみ装置を備えていても、カメラボディがコンパクトになるカメラを提供すること。【解決手段】一次元的に配列された、複数の発光素子１４１を、写真フィルムの幅方向に配列する。これらの発光素子１４１から発光される光を撮影開口１７０に導くため、撮影レンズの光軸とは傾いた光軸を有する結像レンズ１４２を配設する。さらにそれらの発光素子１４１と結像レンズ１４２との間に発光素子から発光されて隔壁などで反射された光が結像レンズに進入しないようにマスク部材もレンズ鏡胴１０１の外側に設ける。撮影開口１７０とパトローネ室１６０あるいはフィルム巻取室１５０との間隔を狭めてレンズ鏡胴の周辺部をコンパクトに収める。【選択図】　　図２
2004109195.tif 000002
【特許請求の範囲】
【請求項１】
巻回された写真フィルムが装填され装填された写真フィルムを１コマずつ所定の撮影開口に給送し、撮影操作に応じて、該写真フィルムの、該撮影開口に位置する領域に被写体像を露光するカメラにおいて、
前記撮影開口に被写体像を結像させる撮影レンズを支持するレンズ鏡胴、および
前記写真フィルムの幅方向に一次元的に配列された複数の発光素子と、これら複数の発光素子を前記写真フィルム上に結像する結像レンズとを備え、該複数の発光素子を、フィルム給送中に、写しこみデータに応じて点滅させることにより、該写真フィルム上にデータを写しこむ順次マトリックス方式のデータ写しこみ装置を具備し、
前記発光素子は、前記レンズ鏡胴外側の斜め上の位置に配置され、前記結像レンズは、前記撮影レンズの光軸とは傾いた光軸と比べ前記写真フィルムの給送方向に傾いた光軸を有するものであって、前記発光素子から発せられた光は、前記結像レンズにより、前記撮影レンズの光軸とは傾いた方向に導かれて前記撮影開口内に光点を形成するものであることを特徴とするカメラ。
【請求項２】
前記複数の発光素子は、前記撮影レンズの光軸と平行な方向を向いた状態に固定されていることを特徴とする請求項１記載のカメラ。
【請求項３】
前記結像レンズと、該結像レンズを保持する、該結像レンズの光軸に対し傾いた方向を向いた基準面を有するレンズ枠体とからなる結像レンズユニットと、
該結像レンズユニットが固定される、前記撮影レンズの光軸と平行な方向を向いた、前記基準面に接する支持面を有する結像レンズユニット支持部とを備え、前記結像レンズユニットが、前記結像レンズユニット支持部に、前記基準面が前記支持面に接した状態に支持されることにより前記結像レンズが所定の位置かつ所定の傾きに位置決めされてなることを特徴とする請求項１又は２記載のカメラ。
【請求項４】
前記発光素子と前記結像レンズとの間に、該発光素子から該結像レンズに直接入射する光以外の光の、該結像レンズへの進入を防止するマスク部材を備えたことを特徴とする請求項１記載のカメラ。
【請求項５】
このカメラは、遮光ケース内に巻回された写真フィルムが該遮光ケースごとフィルム装填室に装填され、装填された写真フィルムを該遮光ケースから一旦全部引き出し前記撮影開口を経由してフィルム巻取室に巻き取り、該フィルム巻取室から前記フィルム装填室内の遮光ケースに巻き戻す過程で、撮影を行なう度に、前記写真フィルムを前記遮光ケースに１コマ分送り込むカメラであって、
前記発光素子は前記レンズ鏡胴外側の、フィルム装填室側の斜め上の位置に配置されたものであることを特徴とする請求項１記載のカメラ。
【発明の詳細な説明】
【０００１】
【発明の属する技術分野】
本発明は、巻回された写真フィルムが装填され装填された写真フィルムを１コマずつ所定の撮影開口に給送し、撮影操作に応じて、その写真フィルムの、その撮影開口に位置する領域に被写体像を露光するカメラに関する。
【０００２】
【従来の技術】
カメラの中には撮影が行なわれたときの撮影データがデータ写し込み装置によって写真フィルムに写し込まれて、写真フィルムが現像されたときには被写体像とともにその撮影データが写真上に映し出されるようになっているものがある。
【０００３】
このようなデータ写し込み装置を備えたカメラの中には、液晶表示上に表示された撮影データをレンズ等の光学部品によってフィルム上に導くようにしたものが在る（たとえば特許文献１）。
【０００４】
しかしこのような液晶表示装置を備えたデータ写し込み装置がカメラ内に配備されると、液晶表示装置を配設する場所が必要になり、カメラボディがどうしても大きくなってしまうといった問題がある。
【０００５】
そこでカメラボディを小型化するためにドットマトリクス方式と呼ばれるデータ写しこみ装置を配備するカメラが増えてきている。このドットマトリクス方式と呼ばれるデータ写し込み装置は、一次元的に配列された複数の発光素子を備え、それらの発光素子を点滅させて給送されている写真フィルム上に多数の光点を記録することにより、文字を表わすデータを映し出そうというもので、一次元的に配列された複数の発光素子と結像レンズをカメラ内部に配設すれば良いのでカメラボディが小型化される利点が在る。このようなドットマトリクス方式のデータ写し込み装置を備えたカメラの中には写真フィルムの送りスピードなどを変えて文字幅を調整するものが提案されている（特許文献２）。
【０００６】
【特許文献１】
特開平１１−２２３８７２号公報
【特許文献２】
特開昭６３−２７８２３号公報
【０００７】
【発明が解決しようとする課題】
しかし、特許文献２のものでは撮影開口とパトローネ室あるいはフィルム巻取室との間に在る隔壁部にデータ写し込み装置を配設する必要があるため、どうしても撮影開口とフィルム装填室あるいはフィルム巻取室との間に幅を持たせなければならず、カメラボディの更なる小型化の妨げとなるという問題がある。
【０００８】
本発明は、上記事情に鑑み、ドットマトリクス方式のデータ写し込み装置が配備されてもカメラボディを一層コンパクトに構成することのできるカメラを提供することを目的とする。
【０００９】
【課題を解決するための手段】
上記目的を達成するための本発明のカメラは、巻回された写真フィルムが装填され装填された写真フィルムを１コマずつ所定の撮影開口に給送し、撮影操作に応じて、該写真フィルムの、該撮影開口に位置する領域に被写体像を露光するカメラにおいて、
上記撮影開口に被写体像を結像させる撮影レンズを支持するレンズ鏡胴、および
上記写真フィルムの幅方向に一次元的に配列された複数の発光素子と、これら複数の発光素子を写真フィルム上に結像する結像レンズとを備え、その複数の発光素子を、フィルム給送中に、写しこみデータに応じて点滅させることにより、写真フィルム上にデータを写しこむ順次マトリックス方式のデータ写しこみ装置を具備し、
上記発光素子は、上記レンズ鏡胴外側の斜め上の位置に配置され、上記結像レンズは、上記撮影レンズの光軸とは傾いた光軸を有するものであって、上記発光素子から発せられた光は、その結像レンズにより、撮影レンズの光軸とは傾いた方向に導かれて撮影開口内に光点を形成するものであることを特徴とする。
【００１０】
上記本発明のカメラによれば、今までのカメラのように撮影開口とフィルム巻取室あるいはパトローネとの間に在る隔壁部に設ける必要がなく、上記レンズ鏡胴外側の斜め上の位置に在るレンズ鏡胴の湾曲部とカメラボディ側との間のわずかな隙間に上記発光素子を配設することができる。さらにその発光素子の光を撮影開口内に導くように撮影レンズの光軸とは傾いた光軸を有する結像レンズを設けているので、発光素子と結像レンズとを備えるデータ写し込み装置をレンズ鏡胴周辺にコンパクトに収めることができ、カメラボディの横幅をコンパクトに形成することができる。
【００１１】
ここで上記複数の発光素子は、撮影レンズの光軸と平行な方向を向いた状態に固定されていることが好ましい。
【００１２】
そうすると、発光素子を撮影レンズの光軸に平行な面あるいは直交する面に沿って配設すれば良いので、レンズ鏡胴の湾曲部とカメラボディとの間のスペースがわずかなものであっても組立が簡単に行なわれる。
【００１３】
ここで、上記本発明のカメラにおいて、結像レンズと、その結像レンズを保持する、その結像レンズの光軸に対し傾いた方向を向いた基準面を有するレンズ枠体とからなる結像レンズユニットと、その結像レンズユニットが固定される、撮影レンズの光軸と平行な方向を向いた、基準面と接する支持面を有する結像レンズユニット支持部とを備え、結像レンズユニットが、結像レンズユニット支持部に、上記基準面が上記支持面に接した状態に支持されることにより結像レンズが所定の位置かつ所定の傾きに位置決めされてなることが好ましい。
【００１４】
このように、上記結像レンズユニット支持部に、結像レンズユニットの基準面を接触させて上記結像レンズユニットを支持すれば、わざわざ光軸調整を行なわなくてもレンズユニットを組み込んだときにレンズの位置および傾きが位置決めされるので組立が非常に楽になる。
【００１５】
また、本発明のカメラにおいて、上記発光素子は、上記結像レンズとの間に、発光素子から結像レンズに直接入射する光以外の光の、結像レンズの進入を防止するマスク部材を備えていることが好ましい。
【００１６】
レンズ鏡胴部よりも外側に発光素子とレンズとを配設したとはいっても、他の部材も発光素子とレンズの周辺に実装されている訳であるから、他の部材の一部が反射部材として作用したり、カメラボディ内の隔壁などが反射板として作用してしまうこともある。
【００１７】
そこで上記発明のように発光素子と結像レンズとの間にマスク部材を配設すると、発光素子から結像レンズに直接入射する光以外の光の、結像レンズへの進入が防止され、フィルム上にゴーストなどが現れる恐れが低減する。
【００１８】
また、本発明のカメラは、遮光ケース内に巻回された写真フィルムがその遮光ケースごとフィルム装填室に装填され、装填された写真フィルムをその遮光ケースから一旦全部引き出し撮影開口を経由してフィルム巻取室に巻き取り、そのフィルム巻取室からフィルム装填室内の遮光ケースに巻き戻す過程で、撮影を行なう度に、写真フィルムを遮光ケースに１コマ分送り込むカメラであって、
上記発光素子は上記レンズ鏡胴外側の、フィルム装填室側の斜め上の位置に配置されたものであっても良い。
【００１９】
この態様のカメラは、いわゆるプレワインド方式のカメラであり、フィルム巻取室側の斜め上の位置に発光素子が配置され、その発光素子から発光された光が上記撮影レンズの光軸とは傾いた光軸を有する結像レンズで撮影開口に導かれるように構成することによりカメラボディにデータ写し込み装置がコンパクトに収まる。
【００２０】
【発明の実施の形態】
以下、本発明の実施形態について説明する。
【００２１】
図１は、本実施形態のカメラ１００を示す斜視図である。
【００２２】
図１に示すようにレンズ鏡胴１０１上方には、オートフォーカス装置１０２の投光窓１０２ａおよび受光窓１０２ｂとファインダの対物窓１０３が備えられている。さらにファインダ１０３の隣には閃光発光部１０４も備えられている。
【００２３】
撮影を行なうときにはカメラを被写体に向けてレリーズ釦が押下されるが、このカメラには二つのレリーズ釦１１０ａ，１１０ｂが備えられている。このカメラには図示はしないが背面に表示画面や十字キーといった操作部が備えられており、その操作部で二つのレリーズ釦１１０ａ，１１０ｂのうちいずれか、あるいは双方のレリーズ釦を使用可能な状態に設定することができるようになっている。
【００２４】
このカメラのフィルム装填室と、このカメラ内部に配設されたデータ写し込み装置との位置関係を示して、カメラボディの横幅がコンパクトに収められた本実施形態のカメラの構成を説明する。
【００２５】
図２は、本実施形態のカメラ１００の上部を、水平方向に切断してカメラ内部を斜め前方から見た図である。
【００２６】
図２に示すように本実施形態のカメラ１００はレンズ鏡胴１０１を備えており、そのレンズ鏡胴１０１により図示はしないが撮影レンズが支持されている。この撮影レンズはレンズ鏡胴１０１の前面のカバーによって保護されており、撮影が行なわれるときにはこのカバー１０１ａが開いて撮影が行なわれる。本発明のカメラ１００においてはデータ写し込み装置の配置に特徴があるので、図２にはそのデータ写し込み装置１４０とフィルム巻取室１５０とフィルム装填室１６０と撮影開口１７０の配置を抜粋して示してある。
【００２７】
図２に示すようにデータ写し込み装置１４０はレンズ鏡胴１０１のフィルム装填室１６０側の斜め上の位置に配設されている。一般にカメラ１００では撮影レンズで写真フィルムに結像された被写体像は倒立像となり、データは写真下部に写し込まれるため、データ写し込み装置１４０は写真フィルムの上側の位置に配設される。本実施形態のカメラ１００はプレワインド方式のカメラなのでレンズ鏡胴１０１の、パトローネが装填されるフィルム装填室１６０側の斜め上に発光素子が配設されている。この実施形態のカメラの場合、図１に示すようにレンズ鏡胴の外周部にはヘリコイド筒１０１ａが配設されており、データ写しこみ装置１４０はそのヘリコイド筒１０１ａが配設されている部分よりもさらに外側の位置に配設されている。
【００２８】
まず、このカメラ１００の写真フィルムの給送部を説明する。
【００２９】
図１からも分かるようにレンズ鏡胴１０１を挟んで向かって右側に写真フィルム巻取室１５０、向かって左側にフィルム装填室１６０が備えられている。そのフィルム装填室１６０に写真フィルムが巻回されて収納されたパトローネ１６０ａが装填され、そのパトローネ１６０ａの引き出し口から引き出された写真フィルム１６１がこのカメラの撮影開口を経由してフィルム巻取室１５０に巻き取られるようになっている。このカメラの撮影開口は撮影レンズによる被写体像の範囲を示しており、撮影操作に応じてその撮影開口１７０に写真フィルム１６１の矩形枠１７０ａで示した部分が１コマずつ給送される。
【００３０】
このカメラ１００はプレワインド方式のカメラであるので、パトローネ室１６０にパトローネ１６０ａが装填されて、パトローネ１６０ａから引き出された写真フィルム１６１が一旦すべてフィルム巻取室１５０側に巻き取られるようになっている。したがって、フィルム巻取室１５０側への巻き取りが給送モータ（図示せず）により行なわれたら、パトローネ１６０側の写真フィルム１６０ａの最終コマにあたる領域１７０ａが１コマ目の領域となってカメラ１００の撮影開口１７０に位置する領域に給送されて撮影準備が整えられる。
【００３１】
ここでレリーズ釦が操作されて撮影が行なわれ、写真フィルムの１コマ目に被写体像が結像されると、その写真フィルムが給送モータによりパトローネ側に１コマ分給送されて１コマ分パトローネ１６０内に送り込まれる。このパトローネ内に写真フィルムが送り込まれるときに撮影データがデータ写し込み装置１４０により写真フィルム１６１の所定の位置１６１ａに写し込まれる。前述したように写真フィルム１６１上に撮影レンズで結像される像は倒立像であり、かつこのカメラ１００はプレワインド方式のカメラであるので、データ写し込み装置１４０は、図１のパトローネ１６０側の斜め上の位置に配置されている。こうしておくと現像された写真の被写体像の下方に撮影データが写し込まれるようになる。なお、発光素子１４０ａの方は、複数の発光素子が写真フィルム１６１の幅方向に一次元的に配列されているが、図１にはその発光素子１４１が配設されている位置だけを示してある。
【００３２】
一次元的に配列された発光素子１４１それぞれの点滅は後述する制御手段により制御されており、その制御手段で作成された写し込みデータに応じて発光素子を点滅させて写真フィルム１６１上にデータが写しこまれる。このように写真フィルム１６１が給送されている間は、写し込みデータに応じて一次元的に配列された発光素子１４１が点滅する。写真フィルムは給送されているので、発光素子１４１の点滅に応じて光点が次々と写真フィルム１６１上に結像されてその写真フィルムの所定の位置にいわゆるドットマトリクスが形成され、文字情報になって撮影データの写し込みが終了する。このようなデータ写し込み装置を順次ドットマトリクス方式のデータ写し込み装置１４０と呼んでいる。
【００３３】
図３は発光素子１４１と結像レンズ１４２ａとマスク部材１４３とからなるデータ写し込み装置１４０と、撮影開口１７０との位置関係を示した図である。
【００３４】
図３にはこのカメラ１００の撮影開口１７０に位置する、写真フィルムの領域が写真フィルム１６１上に矩形枠１７０ａによって示されており、その矩形枠１７０ａによって囲まれた部分が写真フィルム１６１の１コマ分の撮影領域に当たる。図３には写真フィルム１６１が給送される前の状態が示されている。この矩形枠１７０ａで示された撮影開口１７０に対応する部分に、データ写し込み装置１４０の発光素子１４１の光が導かれるように撮影レンズの光軸とは傾いた光軸を持つ結像レンズ１４２ａが発光素子１４１と撮影開口１７０との間に配設されている。また撮影開口１７０に矩形枠で示されたフィルムの撮影領域１７０ａを位置させるため、写真フィルム１６１のパーフォレーション１６１ｂの数をカウントするためのセンサ１８０が下方に配備されている。このセンサ１８０の役割については後述する。
【００３５】
前述したように今まではこの写真フィルム１６１が給送されているときにデータの写し込み装置によるデータの写し込みが撮影開口１７０より外側で行なわれていたため、フィルム装填室１６０とカメラ１００の撮影開口１７０との間に発光素子１４１と結像レンズ１４２ａとからなるデータ写し込み装置１４０を配設することができるようなスペースを確保することが必要であったが、本実施形態のカメラでは発光素子１４１をレンズ鏡胴の外側の斜め上のわずかなスペースに配置して撮影開口１７０内にその発光素子１４１から発光された光が導かれるように、結像レンズ１４２ａの光軸を撮影レンズの光軸とは傾けて組み込んでいる。したがって撮影開口の両側にある隔壁の肉厚が薄くなりカメラボディの幅がコンパクトに収められる。
【００３６】
こういったデータ写し込み装置１４０においては発光素子１４１の光軸と結像レンズ１４２ａの光軸をあわせてカメラボディ内に組み込むことが行なわれるが、本実施形態のカメラ１００では発光素子１４１が所定の位置に組み込まれ、結像レンズ１４２ａが所定の位置に、所定の傾きに組み込まれると、発光素子から発光された光が撮影開口に導かれるように位置決めされるようになっている。
【００３７】
なお、図３に示すように、発光素子１４１から直接結像レンズ１４２ａに入射する光以外は、結像レンズに入射しないようにマスク部材１４３が配設されている。こうすると、マスク部材１４３によって不要な光の進入が防止されて写真フィルム１６１上に不要な光が結像される恐れがなくなり、ゴーストあるいはにじみなどが生じるといったことがなくなる。
【００３８】
図３で説明したデータ写し込み装置１４０の中の結像レンズ１４２ａを、カメラボディに組み込むときの状態が図４に示されている。
【００３９】
図４は結像レンズ１４２ａがカメラボディ内に組み込まれるときの状態を示す図である。
【００４０】
図４に示すように結像レンズ１４２ａはレンズ枠１４２ｂに支持されており、そのレンズ枠１４２ｂに支持された結像レンズ１４２ａが結像レンズユニット１４２としてレンズ鏡胴１０１の周辺部に挿入されて装着される。このときには結像レンズユニット１４２の基準面１４２ｃをレンズ鏡胴１０１側の支持部１００ａに接触させながら挿入していくと、結像レンズ１４２ａが所定の位置に、所定の傾きに位置決めされるようになっている。その構成を図５を参照して説明する。
【００４１】
図５は結像レンズ１４２ａとその結像レンズ１４２ａを支持するレンズ枠１４２ｂとからなる結像レンズユニット１４２の構成を示す図である。
【００４２】
図５に示すような、結像レンズ１４２ａとその結像レンズ１４２ａを保持する、結像レンズ１４２ａの光軸に対し傾いた方向を向いた基準面１４２ｃを有するレンズ枠体１４２ｂとからなる結像レンズユニット１４２を、カメラボディ側に設けられた支持面１００ａに接するようにして配設している。したがって撮影レンズの光軸とは傾いた方向に光軸を有する結像レンズ１４２ａが発光素子１４１からの光を撮影開口１７０内に導くことができる所定の位置に、所定の傾きに位置決めされて組み込まれる。
【００４３】
このようにして結像レンズがカメラボディに組み込まれた状態を図６に示す。
【００４４】
図６は結像レンズを組み込んだ後の状態を示す図である。図６に示すように結像レンズユニット１４２のほかマスク部材１４３も発光素子１４１と結像レンズユニット１４２との間に組み込まれている。このマスク部材１４３は発光素子１４１の光軸と結像レンズの光軸とを結ぶ線を中心にして円形の開口が施された部材であり、このマスク部材１４３もカメラボディの内壁に沿って組み込まれると位置決めされる構成になっている。
【００４５】
図６に示すように発光素子１４１が発光するとその発光された光がマスク部材１４３を経由して結像レンズ１４２ａで結像されて光点１６１ｄが形成されている。その光点１６１ｄが形成されるところに写真フィルムが配置されて撮影データが写しこまれる。
【００４６】
前述したように今までのカメラ１００にあっては、撮影開口１７０外側の位置でデータの写し込みを行なっていたので、どうしても撮影開口１７０とフィルム装填室１６０あるいはフィルム巻取室１５０との間に幅を持たせなければならず、カメラボディが大型化するという問題があった。この問題に鑑みて本実施形態のカメラ１００では撮影レンズとは傾いた光軸を結像レンズ１４２に持たせることによりフィルム装填室１６０と撮影開口１７０との間に間隔を持たせずにデータ写し込み装置１４０を配設することができるように改善している。このように改善すると撮影開口が定められるレンズ鏡胴１０１の周辺部をコンパクトに収めることができ、カメラボディがコンパクトになる。
【００４７】
以上のようにしてカメラボディ内に組み込まれたデータ写し込み装置１４０によって撮影データがどのように写真フィルム上に写し込まれるかを図７、図８を参照して説明する。
【００４８】
図７は本実施形態のカメラ１００が備える制御部の構成ブロック図である。
【００４９】
このカメラ１００は電池１００１によって電力が供給されるようになっており、この電池から制御ブロック図に示した各制御部に電力が供給される。
【００５０】
このカメラはμコンピュータ１０００により各制御部が統括的に制御されており、データ写し込み装置のほか、本実施形態のカメラが備えるズーム制御部１０１ｃ、測距制御部１０２、閃光発光部１０４、測光制御部１０５ａ、露光制御部１１００などが制御される。このカメラで撮影を行なうときに操作されるレリーズ釦や撮影モードなどを設定するスイッチ群１００２が操作されると、それらのスイッチの操作信号がμコンピュータに供給され、制御ブロック図に示した各制御部が制御される。その操作状況をユーザに示すための液晶表示装置（以下ＬＣＤという）１００３や、そのＬＣＤ１００３に明るさを与えるためのバックライト１００４の制御もμコンピュータ１０００により行なわれている。
【００５１】
本発明の特徴部分となるデータ写し込み装置に関連のある部分を抜粋して詳細に説明する。
【００５２】
図７に示すように給送制御部１００５と発光素子１４１とがμコンピュータ１０００により制御されており、その給送制御部１００５で制御されるセンサ１８０の出力信号に基づいてデータ写し込み装置１４０の発光素子１４１の点滅がμコンピュータ１０００により制御される。
【００５３】
図１に示すようなプレワインド方式のカメラではパトローネ１６０ａに写真フィルム１６１が収納されていくと、パトローネ１６０ａ側に写真フィルムが収納されていき、パトローネ内の軸芯に巻回されたフィルムの巻取径が除々に大きくなっていく。この巻取径が大きくなるほど写真フィルムが巻き取られる速度が速くなるので、データ写し込みが行なわれるときにはその都度給送されている写真フィルムのスピードが検知されている。このカメラでは図３に示すようにデータ写し込みが行なわれる領域１６１ａから数えて２つ前の位置にあるパーフォレーション１６１１ｂがセンサ１８０によって検出されてから次のパーフォレーション１６１２ｂがセンサ１８０で検出されるまでの時間が計測されて写真フィルム１６１の給送スピードが検知される。
【００５４】
このようにしてμコンピュータ１０００により写真フィルム１６１の給送スピードがその都度検知され、発光素子１４１の点滅がその給送スピードに応じて制御されて撮影データが写真フィルムに写しこまれる。こうすると写真フィルム上にドットマトリクスで形成される文字の文字幅が一定に保たれる。なお文字高さの方は一列に配列された発光素子の数によって定められている。
【００５５】
図８を参照してデータの写し込みの手順を説明する。
【００５６】
図８はμコンピュータで行なわれるデータ写し込みの処理を示すフローチャートである。
【００５７】
写真フィルムが給送モータ１００６により給送されている最中にデータの写し込みが行なわれる訳であるから、レリーズ操作が行われて１コマ分の撮影が終了したらステップＳ８１の処理が行なわれて次の撮影準備を行なうために撮影開口に位置するところに写真フィルムの給送が行なわれるとともにパトローネ内に撮影を終了した写真フィルムが送り込まれる。この撮影を終了した写真フィルムがパトローネに送り込まれるときにその撮影を終了した写真フィルムの所定の位置に撮影データが写しこまれる。
【００５８】
まずステップＳ８２でセンサ１８０の電源がオンされる。本実施形態のカメラでは電池の消費電力の低減を行なうために、写真フィルムの給送が行なわれる直前にセンサ１８０の電源がオンされる。
【００５９】
そして、センサ１８０の電源がオンされて写真フィルムの給送が開始されたらステップＳ８３で写真フィルム１６１のパーフォレーション１６１ｂの数がカウントされる。もしステップＳ８４でパーフォレーション１６１ｂの数が規定数に達せずにＮと判定されたらステップＳ８３へと戻されて繰り返しパーフォレーションのカウントが引き続き行なわれる。
【００６０】
そしてこのカウントされているパーフォレーション１６１ｂの数が規定数、たとえば図３に示すデータ写し込みを行なう領域１６１ａの直前の位置にあるパーフォレーション１６１１ｂまでの数がカウントされたとステップＳ８４で判定されたらステップＳ８５でそのパーフォレーション１６１１ｂから次のパーフォレーション１６１２ｂが検出されるまでの時間が計測されて写真フィルムの給送スピードが検知される。そしてステップＳ８６でその検知された給送スピードに応じて所定の領域１６１ａへのデータの写し込みの開始タイミングとともに発光素子１４１の点滅周期が決定され、ステップＳ８７で多数の光点が２次元的に形成されるドットマトリクスでのデータの写し込みが行なわれる。データの写し込みが終了したらステップＳ８８でセンサ電源がオフされて、データの写し込みが終了する。
【００６１】
以上説明したように、データ写し込み装置１４０の配設スペースをわざわざ設けずに、小型のカメラボディの中のわずかなスペースにデータ写し込み装置１４０を構成する発光素子１４１と結像レンズ１４２とマスク部材１４３とを別々に、効率的に配設することができる。したがってレンズ鏡胴およびレンズ鏡胴周辺部の幅方向をコンパクトに収めることができるとともに、カメラボディの幅をもコンパクトに収めることができる。
【００６２】
なお本実施形態ではプレワインド方式のカメラを例に挙げたが、本発明はこれに拠らずプレワインド方式のカメラでなくても良く、その場合にはレンズ鏡胴のフィルム巻取室側の斜め上の位置に発光素子が配置され、その発光素子から発光された光が撮影開口に導かれるように結像レンズが配設される。
【００６３】
また、本実施形態では写真フィルムが巻回されて収納されたパトローネを例に挙げたが本発明はこれに拠らず、ＡＰＳ（Ａｄｖａｎｃｅｄ　Ｐｈｏｔｏ　Ｓｙｓｔｅｍ）フィルムが収納されたフィルムカートリッジなどを装填するカメラであっても同様の構成で撮影データの写し込み装置を設けることができる。
【００６４】
【発明の効果】
以上説明したように、本発明のカメラによれば、データ写しこみ装置がレンズ鏡胴の周辺に配備されても、レンズ鏡胴およびレンズ鏡胴周辺部がコンパクトに収まるカメラを提供することができる。
【図面の簡単な説明】
【図１】本実施形態のカメラ１００の構成を示す斜視図である。
【図２】本実施形態のカメラ１００の上部を、フィルム面に直交する方向に切断してレンズ鏡胴内部を斜め前方から見た図である。
【図３】発光素子１４１と結像レンズ１４２ａとマスク部材１４３とからなるデータ写し込み装置１４０と、撮影開口１７０との位置関係を示した図である。
【図４】結像レンズ１４２ａがカメラボディ内に組み込まれるときの状態を示す図である。
【図５】結像レンズ１４２ａとその結像レンズ１４２ａを支持するレンズ枠１４２ｂとからなる結像レンズユニット１４２の構成を示す図である。
【図６】結像レンズを組み込んだ後の状態を示す図である。
【図７】本実施形態のカメラの制御構成を示すブロック図である。
【図８】データ写し込み装置で行なわれるデータ写し込みの処理を示すフローチャートである。
【符号の説明】
１００　　カメラ
１００ａ　　結像レンズユニット支持部
１０１　　レンズ鏡胴
１０１ａ　　ヘリコイド筒
１４０　　データ写し込み装置
１４１　　発光素子
１４２　　結像レンズユニット
１４２ａ　　結像レンズ
１４２ｂ　　レンズ枠
１４２ｃ　　基準面
１５０　　フィルム巻取室
１６０　　フィルム装填室
１６１　　フィルム
１６１ａ　　撮影データ写し込み領域
１６１ｂ　　パーフォレーション
１７０　　撮影開口
１７０ａ　　撮影開口に位置するフィルム側の領域
１８０　　センサ
【図１】
2004109195.tif 000003
【図２】
2004109195.tif 000004
【図３】
2004109195.tif 000005
【図４】
2004109195.tif 000006
【図５】
2004109195.tif 000007
【図６】
2004109195.tif 000008
【図７】
2004109195.tif 000009
【図８】
2004109195.tif 000010